(57)【要約】【課題】限られた容積内に縮小して収納された写真や漫画などの図柄を、空中に復元して表示する玩具を提供する。【解決手段】水平方向に縮小された画像を内側表面に印刷した画面シート６を側面の一部に貼り付けた透明円柱３の、同軸上の両端に固定した上軸５、下軸４を、それぞれ回転可能な状態で本体上１および本体下２の内部に設置する。上軸５に固着した錘取り付け具８には錘１０を紐９により連結する。本体上１の窓部７から透明円柱３を通して画面シート６の印刷面が見えるような角度で本体下２を手指で保持し、錘１０を振り回して回転させながら左右に揺らしたとき、画面シート６の縮小印刷画像が透明円柱３の屈折現象と回転運動により左右動作の途中の空間に原画イメージに近い残像として表示される。【選択図】      図１
2005006871.tif 000002
【特許請求の範囲】
【請求項１】
両端に同芯軸を持つ透明材質よりなる円柱と、水平方向に縮小した画像が印刷され、画像が前記透明円柱を透過して見えるように、画像面を付着側として前記透明円柱の側面の一部に貼り付けられたシートと、前記透明円柱を外から見ることのできる窓部を持ち、かつ前記透明円柱の両端の軸を保持する軸受を具備する本体と、前記透明円柱の軸に偏心して設置した錘とを備えることを特徴とする虚像表示装置使用の玩具。
【請求項２】
請求項１に記載の虚像表示装置使用の玩具において、本体の一部に筆記具を載置したことを特徴とする虚像表示装置使用の玩具。
【請求項３】
請求項１、あるいは請求項２に記載の虚像表示装置使用の玩具において、前記透明円柱および円柱上の画像をその一端から照らす電球を載置したことを特徴とする虚像表示装置使用の玩具。
【請求項４】
請求項１、請求項２、請求項３、に記載の虚像表示装置使用の玩具において、前記本体を透明な材質にて構成し、前記本体の全体を窓部とすることを特徴とする虚像表示装置使用の玩具。
【発明の詳細な説明】
【０００１】
【発明が属する技術分野】
本発明は、透明円柱の側面の一部に貼り付けた水平方向に圧縮した画像を印刷したシートを、透明円柱を回転させながら透明円柱を通して見ることにより残像を表示する虚像表示装置使用の玩具に関するものである。
【０００２】
【従来の技術】
筆記具の軸のような限られた容積に設置でき、簡単な操作で残像効果による虚像を表示できる装置として、特願２００３−１４１３０１の虚像表示装置がある。
【０００３】
しかし特願２００３−１４１３０１においてはこれを玩具に使用した場合、透明円柱を外部回転輪により転がす機構であるため机上での遊びに限られるという制約があった。
【０００４】
【発明が解決しようとする課題】
解決しようとする課題は、縮小した画像を容易な方法で、机の無い場所でも復元して表示できる虚像表示装置使用の玩具を提供することにある。
【０００５】
【課題を解決するための手段】
前記課題を解決するため、本発明に係る虚像表示装置使用の玩具は透明円柱の光屈折の特性を使用した画像の水平方向拡大表示手段と、透明円柱に透明円柱の揺れに同調した回転を与えるための回転力発生手段と、水平方向に拡大した画像が透明円柱を通して見える範囲だけでなくその他の範囲も見えるようにする残像表示手段と、を備えることを特徴とする。
【０００６】
【発明の実施の形態】
空中で揺らすだけの操作で、水平方向に縮小された画像をあたかも復元された画像がそこにあるかのように表示して見せる虚像表示装置使用の玩具を実現した。
【０００７】
【実施例】
図１および図２は、それぞれ本発明の虚像表示装置使用の玩具の実施例１の構造を示す断面図および斜視図である。ただし図１においては説明のために内部の透明円柱３について断面としていない。図に示すとおり、本発明の虚像表示装置使用の玩具の基本要素は、上軸５、下軸４を両端の同軸上に固定し、画面シート６を側面の一部に貼り付けた透明円柱３と、上軸５に固着されて画面シート６の正対する側に取り付け部を持つ錘取り付け具８と、錘１０と、錘取り付け具８と錘１０とを連結する紐９と、上軸５および下軸４を回転可能な状態で保持する本体上１および本体下２、からなる。透明円柱３を内部に持つ本体上１は、外側から透明円柱３を透過して画面シート６が見えるように窓部７を設ける。
【０００８】
図３は、図１の実施例１における画面シート７の作り方を示す説明図である。原画１１に示す図柄を原画イメージとした場合、画面シート６は水平方向にのみ縮小して図３に示すように縦長の状態にする。
【０００９】
原画１１の図柄には図３に示すような漫画を使用してもよいし、文字や写真を使用してもよい。また、白黒イメージでもカラーイメージでもよく、さらに図柄の一部に蓄光塗料を使い、光る効果を出すというようなことも可能である。画面シート６は図柄の印刷された表面に粘着加工を施し、また裏面から見たときには表面の印刷が透けて見えないような材質とする。
【００１０】
図４は、図１および図２における透明円柱３と画面シート６の関係を示す説明図である。図に示すごとく画面シート６の印刷側の粘着面を透明円柱３の側面に巻きつけて貼り付ける。画面シート６はこのようにして使用するので、水平方向の長さは透明円柱３の外周より小さくして、貼り付け後に透明円柱３を透過して画面シート６の図柄を見ることができるように設定する。なお本実施例では画面シート６の透明円柱３への設置方法について印刷面を粘着加工する方法をもって説明しているが、画面シート６の印刷面が透明円柱３の側面に密着するような方法であれば特に粘着加工に限定するものではなく、例えば画面シート６を透明円柱３の側面に置いてその上から画面シート６より大きい粘着テープを貼り付けて固定する、あるいは透明チューブで覆うなど、その他の方法を用いてもよい。
【００１１】
図５は、図４において説明したように画面シート６を貼り付けた透明円柱３の、図柄の見え方を示す説明図である。いま透明円柱３を、画面シート６貼り付け側の正反対側から覗くと、図５中の正面Ａに示すように図柄の一部が透明円柱３を通して屈折効果により水平方向にのみ拡大されて原画イメージに近い形で見える。この状態から透明円柱３を左側に転がすように徐々に回転させていった場合、図５中の左側Ｂに示すように図柄の左側が見え出し、向かって右側には画面シート６の裏側が見え出してくる。逆に透明円柱３を右側に転がすように徐々に回転させていった場合、図５中の右側Ｃに示すように図柄の右側が見え出し、向かって左側には同様に画面シート６の裏側が見え出してくる。
【００１２】
図６は、上述の図１から図５において説明してきた本発明の虚像表示装置使用の玩具の実施例１の使用状況を表す説明図である。図に示すように本体上１の窓部７から透明円柱３が見えるように本体下２を手指で保持し図６中の矢印Ｇにて示す方向に錘１０を回転させながら錘１０の回転にあわせて全体を左右に揺らすと、透明円柱３は錘１０の遠心力により自然に図６中の矢印Ｆにて示すような軌跡を描く。この時窓部７から見える透明円柱３の虚像が残像効果により残像１２のように表示されて見える。
【００１３】
図７は、図６に示す使用状況での残像の見え方の詳細の説明図である。図７は、図６の使用状態を真下から見たときの前後左右各位置での各部品および虚像と残像の関係を示すものであり、説明のために本体上１と本体下２は省略して表している。いま錘１０を自転させながら左右に揺らすと、遠心力が加わって錘１０の重心は図７の矢印Ｈに示すような軌跡を描く。この時透明円柱３、紐９、錘取り付け具８、透明円柱３、画面シート６は各位置で図のような角度関係をとりながら自転と公転をし、透明円柱３の軸芯は矢印Ｆを軌跡とする動きをとる。いま錘１０が図７における中央下側の位置にある場合、操作者が視点Ｅから透明円柱３を通して画面シート６の絵柄を見たときに操作者が実際に見るのは画面シート６の印刷イメージの透明円柱３の屈折現象による虚像ＲのＰからＱの範囲である。この虚像Ｒの見え方は透明円柱３の回転につれて図７における左側の位置に行くまでに徐々に左側に移行し、右側は画面シート６の裏面で徐々に隠されてきて、図７における左側の位置で見えなくなる。さらに回転を続けて錘１０が図７における中央上側の位置を通り、図７における右側の位置までは画面シート６に隠れて虚像Ｒは見えず、虚像Ｒが再び見え出すのは図７における右側の位置からである。ここから再度左側に行き虚像が見えなくなるまでの一連の虚像の見え方は連続しているので、視点Ｅからは画面シート６を横に広げていくように見え、回転を繰り返すことで残像現象により残像Ｓの位置に画像イメージが表示されて見える。
【００１４】
図８は、本発明の虚像表示装置使用の玩具を筆記具に応用した実施例２を示す断面図である。前述の実施例１と同様の機構を持つ虚像表示装置使用の玩具の本体下２に筆記具芯１３と芯繰出し機構１４を載置し上軸５を押すことにより、上軸５に固定された透明円柱３、下軸４を介して芯繰出し機構１４を駆動して筆記具芯１３を出し入れするものである。このようにして従来の筆記具に玩具的な付加価値をつける目的で使用することもできる。芯繰出し機構１４については従来からある機構を容易に適用可能であるので説明は省略する。
【００１５】
図９は、本発明の虚像表示装置使用の玩具に光源を設けた実施例３を示す断面図である。前述の実施例１と同様の機構を持つ虚像表示装置使用の玩具に光源１９、抵抗１６、スイッチ１５、電池１７からなる発光装置１８を載置し、上軸５、下軸４を透明材料にて構成し、光源１９の光で画面シート６の印刷面および上軸５の先端を光らせることにより暗い場所でも残像効果を楽しめ、さらにペンライトとしての使用もできるようにしたものである。
【００１６】
図８および図９において応用例２例を紹介したが、本発明の虚像表示装置使用の玩具は上記実施例の筆記具やペンライトに限らず、バトンやアンテナやアクセサリーなどの雑貨や玩具に広く使用できるものである。
【００１７】
図１０は、本発明の虚像表示装置使用の玩具のその他の実施例４を示す斜視図である。前述の各実施例において示したように錘１０を紐９により錘取り付け具８に繋ぐ方法も有効であるが、図１０にて示すように錘取り付け具８をやや大きめにして、錘取り付け具８の一部に偏心錘２０を固定しても同様の効果を得られる。あるいは同じく図１０にて示すように錘取り付け具８の一部にクリップ２１を載置してこれを錘として用いることも可能である。ただし画面シート６がクリップ２１により遮られて視野から隠れる場合、クリップ２１を透明材質にするか、あるいは細い針金状のものとして画面シート６の虚像が見えるようにしなければならない。
【００１８】
また図１０において示すように本体上１の材質を透明なものとして、前述の実施例における窓部７を必要とせず、どの方向からでも残像を見ることができるようにすることもできる。
【００１９】
【発明の効果】
以上説明したように本発明の虚像表示装置使用の玩具は、狭い面積に圧縮した画像を簡単な操作で、使用場所を選ばずに再現して見せることのできる装置を複雑な機構を用いずに提供できるものであるため、玩具や雑貨、文房具などの付加価値を高めるために有効に使用できるものである。
【図面の簡単な説明】
【図１】虚像表示装置使用の玩具の構造を示す断面図である。（実施例１）
【図２】虚像表示装置使用の玩具の構造を示す斜視図である。（実施例１）
【図３】画面シートの作り方を示す説明図である。（実施例１）
【図４】透明円柱の構造を示す説明図である。（実施例１
【図５】図柄の見え方を示す説明図である。（実施例１）
【図６】虚像表示装置使用の玩具の使用状況を表す説明図である。（実施例１）
【図７】虚像表示装置使用の玩具の残像の見え方の説明図である。（実施例１）
【図８】虚像表示装置使用の玩具を応用した例を示す断面図である。（実施例２）
【図９】虚像表示装置使用の玩具の別の応用例を示す断面図である。（実施例３）
【図１０】虚像表示装置使用の玩具の別の実施例を示す断面図である。（実施例４）
【符号の説明】
１    本体上
２    本体下
３    透明円柱
４    下軸
５    上軸
６    画面シート
７    窓部
８    錘取り付け具
９    紐
１０    錘
１１    原画
１２    残像
１３    筆記具芯
１４    芯繰出し機構
１５    スイッチ
１６    抵抗
１７    電池
１８    発光装置
１９    光源
２０    偏心錘
２１    クリップ
【図１】
2005006871.tif 000003
【図２】
2005006871.tif 000004
【図３】
2005006871.tif 000005
【図４】
2005006871.tif 000006
【図５】
2005006871.tif 000007
【図６】
2005006871.tif 000008
【図７】
2005006871.tif 000009
【図８】
2005006871.tif 000010
【図９】
2005006871.tif 000011
【図１０】
2005006871.tif 000012